(57)【要約】【課題】中身の点検ガスの取り出しが容易で、しかも、必要以上に容器容量を大きくすることなく点検ガスを収容することのできる安価なガス漏れ警報器用点検ガス容器を提供すること。【解決手段】カップ状のポケット部１ａが一体成形された透明材料からなる可撓性樹脂製のシート状基材３と、このシート状基材３上に積層されてポケット部３ａの開口部３ｂを開封可能に封止する、例えばアルミ箔のように手で容易に引き裂いたり、容易に開封したりできる材質の可裂性のフィルム５とを備え、ポケット部３ａと、このポケット部３ａの開口部３ｂを封止しているフィルム５とにより、密閉空間７が画成されており、この密閉空間７内に、アルコール等の気化した点検ガス（図示せず）が、動作試験の１回分だけ充填、収容されている。【選択図】      図２
2004362412.tif 000002
【特許請求の範囲】
【請求項１】
ガス漏れ警報器の動作試験用の点検ガスが収容される点検ガス容器であって、
カップ状のポケット部が一体成形された可撓性樹脂製のシート状基材と、
前記シート状基材上に積層されて前記ポケット部の開口部を開封可能に封止する可裂性のフィルムとを備え、
前記開口部が封止された前記ポケット部と前記フィルムとにより画成される密閉空間内に、前記点検ガスが収容される、
ことを特徴とするガス漏れ警報器用点検ガス容器。
【請求項２】
前記シート状基材のうち前記ポケット部を除くシート状基材部分と、前記フィルムのうち前記シート状基材部分に積層されたフィルム部分とを貫通する通孔が、前記ガス漏れ警報器に設けられた吊り下げフックの挿入可能な寸法で形成されている請求項１記載のガス漏れ警報器用点検ガス容器。
【請求項３】
ガス漏れ警報器の動作試験用の点検ガスが収容される点検ガス容器であって、
一端が閉塞され他端が開放された可撓性樹脂製のカップ部材を一対備え、
前記各カップ部材の前記他端どうしを互いに重ね合わせて両カップ部材を連結することで形成したカプセルの内部の密閉空間内に、前記点検ガスが収容される、
ことを特徴とするガス漏れ警報器用点検ガス容器。
【請求項４】
前記ガス漏れ警報器の動作試験の１回分の前記点検ガスが前記密閉空間内に収容されるように構成されている請求項１、２又は３記載のガス漏れ警報器用点検ガス容器。
【請求項５】
前記可撓性樹脂は表裏両側から他側を透視可能な透明乃至半透明材料により構成されている請求項１、２、３又は４記載のガス漏れ警報器用点検ガス容器。
【発明の詳細な説明】
【０００１】
【発明の属する技術分野】
本発明は、都市ガスやＬＰガスのガス漏れ警報器の付属品として提供される、ガス漏れ検出用のセンサの動作試験に用いる点検ガスを収容する点検ガス容器に関する。
【０００２】
【従来の技術】
ガスを消費する家屋や店舗等に設置されるガス漏れ警報器には、一般に、設置直後等に行う動作試験用の点検ガスが付属品として提供されるが、この種の点検ガスを収容する容器は、樹脂製の開閉蓋付き瓶型容器が主流であった（特許文献１）。
【０００３】
【特許文献１】
実公昭５０−４２７９３号公報
【０００４】
【発明が解決しようとする課題】
しかしながら、上記した特許文献１の従来技術は、開閉蓋を有する分だけ容易に中身の点検ガスを取り出すことができ、しかも、大量保管に便利である反面、一回の動作試験に用いる点検ガスの量が少量であることを考慮すると、開閉蓋等の存在により必要以上に容器容量が大きくなってしまい、コスト面において不利である。
【０００５】
本発明は前記事情に鑑みなされたもので、本発明の目的は、中身の点検ガスの取り出しが容易で、しかも、必要以上に容器容量を大きくすることなく点検ガスを収容することのできる安価なガス漏れ警報器用点検ガス容器を提供することにある。
【０００６】
【課題を解決するための手段】
前記目的を達成するため請求項１に記載した本発明のガス漏れ警報器用点検ガス容器は、ガス漏れ警報器の動作試験用の点検ガスが収容される点検ガス容器であって、カップ状のポケット部が一体成形された可撓性樹脂製のシート状基材と、前記シート状基材上に積層されて前記ポケット部の開口部を開封可能に封止する可裂性のフィルムとを備え、前記開口部が封止された前記ポケット部と前記フィルムとにより画成される密閉空間内に、前記点検ガスが収容されることを特徴とする。
【０００７】
また、請求項２に記載した本発明のガス漏れ警報器用点検ガス容器は、請求項１に記載した本発明のガス漏れ警報器用点検ガス容器において、前記シート状基材のうち前記ポケット部を除くシート状基材部分と、前記フィルムのうち前記シート状基材部分に積層されたフィルム部分とを貫通する通孔が、前記ガス漏れ警報器に設けられた吊り下げフックの挿入可能な寸法で形成されているものとした。
【０００８】
さらに、請求項３に記載した本発明のガス漏れ警報器用点検ガス容器は、ガス漏れ警報器の動作試験用の点検ガスが収容される点検ガス容器であって、一端が閉塞され他端が開放された可撓性樹脂製のカップ部材を一対備え、前記各カップ部材の前記他端どうしを互いに重ね合わせて両カップ部材を連結することで形成したカプセルの内部の密閉空間内に、前記点検ガスが収容されることを特徴とする。
【０００９】
また、請求項４に記載した本発明のガス漏れ警報器用点検ガス容器は、請求項１、２又は３に記載した本発明のガス漏れ警報器用点検ガス容器において、前記ガス漏れ警報器の動作試験の１回分の前記点検ガスが前記密閉空間内に収容されるように構成されているものとした。
【００１０】
さらに、請求項５に記載した本発明の本発明のガス漏れ警報器用点検ガス容器は、請求項１、２、３又は４に記載した本発明のガス漏れ警報器用点検ガス容器において、前記可撓性樹脂が表裏両側から他側を透視可能な透明乃至半透明材料により構成されているものとした。
【００１１】
請求項１に記載した本発明のガス漏れ警報器用点検ガス容器によれば、ポケット部の開口部を封止するフィルムを引き裂くことで、ポケット部とフィルムとにより画成される密閉空間内に収容された点検ガスが外部に放出されるので、ポケット部の開口部をガス漏れ警報器のガス漏れ検出用センサに近づけてフィルムを引き裂くことで、内部の点検ガスがガス漏れ検出用センサに向けて放出されることになる。
【００１２】
また、請求項２に記載した本発明のガス漏れ警報器用点検ガス容器によれば、請求項１に記載した本発明のガス漏れ警報器用点検ガス容器において、シート状基材のうちポケット部を除くシート状基材部分と、フィルムのうちシート状基材部分に積層されたフィルム部分とを貫通する通孔に、ガス漏れ警報器の吊り下げフックを挿入することで、未使用の点検ガス容器がガス漏れ警報器に吊り下げ支持されることになる。
【００１３】
さらに、請求項３に記載した本発明のガス漏れ警報器用点検ガス容器によれば、カプセルを形成する一対のカップ部材のうち重ね合わせ部分が内側に位置しているカップ部材の他端を内側に撓ませて、重ね合わせ部分が外側に位置しているカップ部材の他端との間に隙間を形成することで、カプセルの内部の密閉空間内に収容された点検ガスが外部に放出されるので、カプセルをガス漏れ警報器のガス漏れ検出用センサに近づけて一方のカップ部材の他端を内側に撓ませることで、内部の点検ガスがガス漏れ検出用センサに向けて放出されることになる。
【００１４】
また、請求項４に記載した本発明のガス漏れ警報器用点検ガス容器によれば、請求項１又は２に記載した本発明のガス漏れ警報器用点検ガス容器において、ポケット部の開口部をガス漏れ警報器のガス漏れ検出用センサに近づけてフィルムを引き裂くと、あるいは、請求項３に記載した本発明のガス漏れ警報器用点検ガス容器において、カプセルをガス漏れ警報器のガス漏れ検出用センサに近づけて一方のカップ部材の他端を内側に撓ませると、密閉空間内に収容されたガス漏れ警報器の動作試験の１回分の点検ガスが、ガス漏れ検出用センサに向けて放出されることになる。
【００１５】
さらに、請求項５に記載した本発明の本発明のガス漏れ警報器用点検ガス容器によれば、請求項１、２、３又は４に記載した本発明のガス漏れ警報器用点検ガス容器において、可撓性樹脂が表裏両側から他側を透視可能な透明乃至半透明材料により構成されていることから、密閉空間の内容が外部から透視可能となり、形状の類似する他の容器と取り違えることがなくなる。
【００１６】
【発明の実施の形態】
以下、本発明のガス漏れ警報器用点検ガス容器を、図面を参照して説明する。
【００１７】
図１は、本発明の第１実施形態に係るガス漏れ警報器用点検ガス容器の斜視図、図２は同断面図であり、図１及び図２中引用符号１で示す本実施形態の点検ガス容器は、図２に示すように、カップ状のポケット部３ａが一体成形された透明材料からなる可撓性樹脂製のシート状基材３と、このシート状基材３上に積層されてポケット部３ａの開口部３ｂを開封可能に封止する、例えばアルミ箔のように手で容易に引き裂いたり、容易に開封したりできる材質の可裂性のフィルム５とを備えている。
【００１８】
そして、ポケット部３ａと、このポケット部３ａの開口部３ｂを封止しているフィルム５とにより、密閉空間７が画成されており、この密閉空間７内に、アルコール等の気化した点検ガス、もしくは、アルコール等の点検ガスをゲル状にしたもの（いずれも図示せず）が、動作試験の１回分だけ充填、収容されている。
【００１９】
また、図１及び図２に示すように、点検ガス容器１には、シート状基材３のうちポケット部３ａを除くシート状基材３の平坦部分３ｃ（シート状基材のうちポケット部を除くシート状基材部分に相当）と、これに積層されたフィルム５とを貫通するように、通孔９が形成されている。
【００２０】
この通孔９は、図３に斜視図で示すガス漏れ警報器２１の側面の吊り下げフック２３が挿入可能な寸法で形成されている。
【００２１】
以上のように構成された本実施形態の点検ガス容器１は、ポケット部３ａを密閉空間７の内部側に押し込みながらポケット部３ａの開口部３ｂを拡開させる等して、図４に断面図で示すように、開口部３ｂを封止しているフィルム５を引き裂くことで、密閉空間７内に充填、収容された不図示の点検ガスを外部に放出させるように使用される。
【００２２】
したがって、ガス漏れ警報器２１の内部のガス漏れ検出用センサ（図示せず）の動作試験は、ガス漏れ検出用センサに近づけた状態で、開口部３ｂを封止しているフィルム５を上記のように引き裂き、内部の点検ガスをガス漏れ検出用センサに向けて放出させることによって行うことになる。
【００２３】
尚、未使用の点検ガス容器１は、例えば、図５に斜視図で示すように、ガス漏れ警報器２１の側面の吊り下げフック２３を通孔９に挿入して、吊り下げフック２３によりガス漏れ警報器２１に吊り下げ支持させた状態で、ガス漏れ警報器２１と一緒に保管することができる。
【００２４】
次に、図６は本発明の第２実施形態に係るガス漏れ警報器用点検ガス容器の斜視図であり、図６中引用符号１１で示す本実施形態の点検ガス容器は、一端が閉塞された透明材料からなる可撓性樹脂製のカップ部材１３を一対備えている。
【００２５】
そして、一方のカップ部材１３の開放端１３ａ（カップ部材の他端に相当）からその内部に他方のカップ部材１３の開放端１３ａを挿入して、両カップ部材１３，１３の開放端１３ａ，１３ａどうしを互いに重ね合わせることで、両カップ部材１３，１３を連結したカプセル１５が形成され、このカプセル１５の内部の密閉空間１７内に、アルコール等の気化した点検ガス、もしくは、アルコール等の点検ガスをゲル状にしたもの（いずれも図示せず）が、動作試験の１回分だけ充填、収容されている。
【００２６】
以上のように構成された本実施形態の点検ガス容器１１は、図７に斜視図で示すように、一方のカップ部材１３の開放端１３ａの内側に挿入された他方のカップ部材１３の開放端１３ａを、密閉空間７の内部側に押し込みながら撓ませて、一方のカップ部材１３の開放端１３ａとの間に隙間を形成することで、密閉空間１７内に充填、収容された不図示の点検ガスを外部に放出させるように使用される。
【００２７】
したがって、ガス漏れ警報器２１の内部のガス漏れ検出用センサ（図示せず）の動作試験は、カプセル１５をガス漏れ検出用センサに近づけた状態で、他方のカップ部材１３の開放端１３ａを内側に撓ませることで、内部の点検ガスをガス漏れ検出用センサに向けて放出させることによって行うことになる。
【００２８】
尚、未使用の点検ガス容器１１は、例えば、図８に斜視図で示すように、ガス漏れ警報器２１の側面に取着された収納ボックス２５に収納した状態で、ガス漏れ警報器２１と一緒に保管することができる。
【００２９】
ちなみに、図５に示す吊り下げフック２３を利用し、収納ボックス２５をガス漏れ警報器２１の側面に吊り下げて取り付けるようにしてもよい。
【００３０】
また、シート状基材３やカップ部材１３の材料とする、透明材料からなる可撓性樹脂としては、例えば、ポリエチレンやポリプロピレンを用いることができる。
【００３１】
以上に説明した第１及び第２のいずれの実施形態の点検ガス容器１，１１によっても、従来の開閉蓋付き瓶型容器に比べて、容器の不必要な大型化を防止し、しかも、大型化の防止によって製造コストを安価に済ませることができる。
【００３２】
ちなみに、上述した第１及び第２実施形態の点検ガス容器１，１１における、密閉空間７，１７への点検ガスの充填、収容は、例えば、点検ガスの気化温度未満の温度環境下において、シート状基材３上へのフィルム５の積層前に液状の点検ガスをポケット部３ａに入れておいたり、一方のカップ部材１３の開放端１３ａの内部に他方のカップ部材１３の開放端１３ａを挿入する前に、他方のカップ部材１３に液状の点検ガスを入れておくことによって、実行することができる。
【００３３】
尚、第１実施形態の点検ガス容器１におけるシート状基材３や、第２実施形態の点検ガス容器１１における各カップ部材１３の材料である可撓性樹脂は、各実施形態で説明したような透明材料からなるものでなくてもよいが、透明材料の方が、ポケット部３ａやカップ部材１３越しに密閉空間７，１７内を透視できるので、例えば、カプセルや錠剤等の固形剤、粒状の食品等を包装するためのＰＴＰ（プレススルーパッケージ）包装や、食品包装用等のＰＴＰ包装によく似たブリスターパッケージ、液体状の経口内服薬に用いられるカプセル等の他の物品に、点検ガス容器１，１１の形状、形態が似ていても、これらと取り違えてしまうのを防止することができるので、有利である。
【００３４】
また、密閉空間７，１７内に充填、収容する点検ガスの量は、ガス漏れ警報器２１のガス漏れ検出用センサの動作試験の１回分でなくてもよいが、そうした方が、１回の動作試験で点検ガス容器１，１１を使い切りとして、内部に余剰の点検ガスを残した状態で点検ガス容器１，１１を保管せずに済むようにすることができるので、有利である。
【００３５】
さらに、第１実施形態の点検ガス容器１に設けた通孔９は、ガス漏れ警報器２１の側面の吊り下げフック２３を挿入可能な寸法でなくてもよく、例えば、壁掛けフック等が挿入可能な寸法であってもよく、あるいは、通孔９を設けない構成としてもよい。
【００３６】
【発明の効果】
以上説明したように請求項１に記載した本発明のガス漏れ警報器用点検ガス容器によれば、ポケット部の開口部をガス漏れ警報器のガス漏れ検出用センサに近づけてフィルムを引き裂くことで、中身の点検ガスを容易に取り出すことができ、しかも、可撓性樹脂製のシート状基材上に可裂性のフィルムを積層してポケット部の開口部を開封可能に封止するだけで、必要以上に容器容量を大きくすることなく点検ガスを収容することができる。
【００３７】
また、請求項２に記載した本発明のガス漏れ警報器用点検ガス容器によれば、請求項１に記載した本発明のガス漏れ警報器用点検ガス容器において、ガス漏れ警報器の吊り下げフックを通孔に挿入してガス漏れ警報器に吊り下げ支持させることで、未使用の点検ガス容器をガス漏れ警報器の近くで直ぐに使用できる状態で保管させることができる。
【００３８】
さらに、請求項３に記載した本発明のガス漏れ警報器用点検ガス容器によれば、カプセルをガス漏れ警報器のガス漏れ検出用センサに近づけて一方のカップ部材の他端を内側に撓ませることで、中身の点検ガスを容易に取り出すことができ、しかも、一対のカップ部材の開放された他端どうしを互いに重ね合わせて両カップ部材を連結しカプセルを形成するだけで、必要以上に容器容量を大きくすることなく点検ガスを収容することができる。
【００３９】
また、請求項４に記載した本発明のガス漏れ警報器用点検ガス容器によれば、請求項１、２又は３に記載した本発明のガス漏れ警報器用点検ガス容器において、密閉空間からガス漏れ警報器のガス漏れ検出用センサに向けて放出される点検ガスが、ガス漏れ警報器の動作試験の１回分となるので、１回の動作試験で点検ガス容器を使い切りとして、内部に余剰の点検ガスを残した状態で点検ガス容器を保管せずに済むようにすることができる。
【００４０】
さらに、請求項５に記載した本発明の本発明のガス漏れ警報器用点検ガス容器によれば、請求項１、２、３又は４に記載した本発明のガス漏れ警報器用点検ガス容器において、表裏両側から他側を透視可能な透明乃至半透明材料により構成された可撓性樹脂製のシート状基材やカップ部材越しに密閉空間の内容を外から透視可能として、点検ガス容器の形状、形態が既存の他の物品と似ていても、これらと取り違えてしまうのを防止することができる。
【図面の簡単な説明】
【図１】本発明の第１実施形態に係るガス漏れ警報器用点検ガス容器の斜視図である。
【図２】本発明の第１実施形態に係るガス漏れ警報器用点検ガス容器の断面図である。
【図３】図１及び図２のガス漏れ警報器用点検ガス容器を吊り下げ支持するガス漏れ警報器の斜視図である。
【図４】図２の密閉空間から点検ガスを外部に放出させる際のフィルムの引き裂き状態を示す断面図である。
【図５】図１及び図２のガス漏れ警報器用点検ガス容器を図３のガス漏れ警報器により吊り下げ支持した状態を示す斜視図である。
【図６】本発明の第２実施形態に係るガス漏れ警報器用点検ガス容器の斜視図である。
【図７】図６の密閉空間から点検ガスを外部に放出させる際のカップ部材の変形状態を示す斜視図である。
【図８】図６のガス漏れ警報器用点検ガス容器の収納ボックスを有するガス漏れ警報器の斜視図である。
【符号の説明】
１，１１  点検ガス容器
３  シート状基材
３ａ  ポケット部
３ｂ  開口部
３ｃ  平坦部分（シート状基材のうちポケット部を除くシート状基材部分）
５  フィルム
７，１７  密閉空間
９  通孔
１３  カップ部材
１３ａ  開放端（カップ部材の他端）
１５  カプセル
２１  ガス漏れ警報器
２３  吊り下げフック
【図１】
2004362412.tif 000003
【図２】
2004362412.tif 000004
【図３】
2004362412.tif 000005
【図４】
2004362412.tif 000006
【図５】
2004362412.tif 000007
【図６】
2004362412.tif 000008
【図７】
2004362412.tif 000009
【図８】
2004362412.tif 000010